(57)【要約】【課題】トレッド幅方向に沿って複数の気室を備える空気入りタイヤを用いて、車両の運動性能を制御することができる空気入りタイヤ内圧制御装置、空気入りタイヤ制御システム、車両及び空気入りタイヤ内圧制御方法を提供する。【解決手段】空気入りタイヤ２０ＦＬ，２０ＦＲ，２０ＲＬ，２０ＲＲは、トレッド幅方向に沿って複数の気室を有する。空気入りタイヤ内圧制御装置１００は、自動四輪車１０が左方向または右方向に進行しようとしていることをコントローラ１１０に指示するセンサー部１２０と、センサー部１２０による指示に基づいて、複数の気室の内圧を異ならせるコントローラ１１０とを備える。【選択図】図３
2007223476.tif 000002
【特許請求の範囲】
【請求項１】
車両に装着された空気入りタイヤの内圧を制御する空気入りタイヤ内圧制御装置であって、
前記空気入りタイヤは、トレッド幅方向に沿って複数の気室を有し、
前記車両の走行状態を指示する指示手段と、
前記指示手段による指示に基づいて、前記複数の気室の内圧を異ならせる内圧制御部と
を備える空気入りタイヤ内圧制御装置。
【請求項２】
前記指示手段は、前記車両が左方向または右方向に進行しようとしていることを指示する請求項１に記載の空気入りタイヤ内圧制御装置。
【請求項３】
前記指示手段は、前記車両のドライバーを含む乗車員に前記左方向または前記右方向の何れかを選択させる選択操作部を有し、
前記内圧制御部は、前記選択操作部に対して前記乗車員が実行した操作に基づいて、前記複数の気室の内圧を異ならせる請求項２に記載の空気入りタイヤ内圧制御装置。
【請求項４】
前記指示手段は、前記車両が所定の走行レーン内を走行しているか否かを判定する走行レーン維持判定部を有し、
前記内圧制御部は、前記走行レーン維持判定部によって判定された前記所定の走行レーン内を前記車両が走行しているか否かの判定結果に基づいて、前記複数の気室の内圧を異ならせる請求項２に記載の空気入りタイヤ内圧制御装置。
【請求項５】
前記走行レーン維持判定部は、前記車両が前記所定の走行レーン内から外れた場合または外れようとしている場合、前記車両が前記所定の走行レーンから前記左方向または前記右方向の何れに逸脱するかを示す逸脱方向を判定し、
前記内圧制御部は、前記空気入りタイヤにおいて、前記逸脱方向と逆方向側に位置する前記気室の内圧を、前記逸脱方向側に位置する前記気室の内圧よりも高くする請求項４に記載の空気入りタイヤ内圧制御装置。
【請求項６】
前記指示手段は、前記車両の操舵に係る状態を検出する操舵状態検出部を有し、
前記内圧制御部は、前記操舵状態検出部によって検出された前記操舵に係る状態に基づいて、前記複数の気室の内圧を異ならせる請求項２に記載の空気入りタイヤ内圧制御装置。
【請求項７】
前記操舵状態検出部は、前記車両の操舵方向を検出し、
前記内圧制御部は、前記車両の前側に装着されている前側空気入りタイヤにおいて、前記操舵方向側に位置する前記気室の内圧を、前記操舵方向と逆方向側に位置する前記気室の内圧よりも高くする請求項６に記載の空気入りタイヤ内圧制御装置。
【請求項８】
前記操舵状態検出部は、前記車両の操舵方向を検出し、
前記内圧制御部は、前記車両の後側に装着されている後側空気入りタイヤにおいて、前記操舵方向と逆方向側に位置する前記気室の内圧を、前記操舵方向側に位置する前記気室の内圧よりも高くする請求項６に記載の空気入りタイヤ内圧制御装置。
【請求項９】
前記操舵状態検出部は、前記車両の操舵方向を検出し、
前記内圧制御部は、前記車両の後側に装着されている後側空気入りタイヤにおいて、前記操舵方向側に位置する前記気室の内圧を、前記操舵方向と逆方向側に位置する前記気室の内圧よりも高くする請求項６に記載の空気入りタイヤ内圧制御装置。
【請求項１０】
前記操舵状態検出部は、前記車両がオーバーステア状態であることを検出し、
前記内圧制御部は、前記車両の前側に装着されている前側空気入りタイヤにおいて、前記操舵方向と逆方向側に位置する前記気室の内圧を、前記操舵方向側に位置する前記気室の内圧よりも高くする請求項６に記載の空気入りタイヤ内圧制御装置。
【請求項１１】
前記操舵状態検出部は、前記車両がオーバーステア状態であることを検出し、
前記内圧制御部は、前記車両の後側に装着されている後側空気入りタイヤにおいて、前記操舵方向側に位置する前記気室の内圧を、前記操舵方向と逆方向側に位置する前記気室の内圧よりも高くする請求項６に記載の空気入りタイヤ内圧制御装置。
【請求項１２】
前記操舵状態検出部は、前記車両がアンダーステア状態であることを検出し、
前記内圧制御部は、前記車両の前側に装着されている前側空気入りタイヤにおいて、前記操舵方向側に位置する前記気室の内圧を、前記操舵方向と逆方向側に位置する前記気室の内圧よりも高くする請求項６に記載の空気入りタイヤ内圧制御装置。
【請求項１３】
前記操舵状態検出部は、前記車両がアンダーステア状態であることを検出し、
前記内圧制御部は、前記車両の後側に装着されている後側空気入りタイヤにおいて、前記操舵方向と逆方向側に位置する前記気室の内圧を、前記操舵方向側に位置する前記気室の内圧よりも高くする請求項６に記載の空気入りタイヤ内圧制御装置。
【請求項１４】
請求項１の空気入りタイヤと、
請求項１乃至１３の何れかの空気入りタイヤ内圧制御装置とを含む空気入りタイヤ制御システム。
【請求項１５】
前記空気入りタイヤは、
タイヤ赤道線上の位置を含む主気室と、
前記車両への装着時において、前記主気室よりも前記車両の車幅方向外側に位置する外側副気室と、
前記車両への装着時において、前記主気室よりも前記車両の車幅方向内側に位置する内側副気室と
を備える請求項１４に記載の空気入りタイヤ制御システム。
【請求項１６】
少なくとも前記外側副気室または前記内側副気室の体積は、前記主気室の体積よりも小さい請求項１５に記載の空気入りタイヤ制御システム。
【請求項１７】
前記内圧制御部は、少なくとも前記外側副気室と、前記内側副気室の内圧とを異ならせる請求項１５に記載の空気入りタイヤ制御システム。
【請求項１８】
請求項１乃至１３の何れかの空気入りタイヤ内圧制御装置を備える車両。
【請求項１９】
請求項１４乃至１７の何れかの空気入りタイヤ制御システムを備える車両。
【請求項２０】
車両に装着された空気入りタイヤの内圧を制御する空気入りタイヤ内圧制御方法であって、
前記空気入りタイヤは、トレッド幅方向に沿って複数の気室を有し、
前記車両が左方向または右方向に進行しようとしていること指示するステップと、
前記指示するステップにおける指示に基づいて、前記複数の気室の内圧を異ならせるステップと
を備える空気入りタイヤ内圧制御方法。
【発明の詳細な説明】
【技術分野】
【０００１】
本発明は、空気入りタイヤの内圧を制御する空気入りタイヤ内圧制御装置、空気入りタイヤ制御システム、車両及び空気入りタイヤ内圧制御方法に関する。
【０００２】
特に、本発明は、トレッド幅方向に沿って複数の気室を有する空気入りタイヤの内圧を車両に装着された状態において制御する空気入りタイヤ内圧制御装置、空気入りタイヤ制御システム及び空気入りタイヤ内圧制御方法に関する。また、当該空気入りタイヤ内圧制御装置または空気入りタイヤ制御システムを備える車両に関する。
【背景技術】
【０００３】
従来、空気入りタイヤのトレッド幅方向に沿って複数の気室（例えば、３気室）を備える空気入りタイヤが知られている（例えば、特許文献１）。
【０００４】
このような空気入りタイヤによれば、損傷（例えば、パンク）を受けた気室以外の気室によって、空気入りタイヤに掛かる荷重を支持することができるため、空気入りタイヤが損傷を受けた場合でも、車両（具体的には、自動四輪車）は一定の距離を走行することができる。
【特許文献１】特開２００３−３９９１４号公報（第３頁、第１図）
【発明の開示】
【発明が解決しようとする課題】
【０００５】
ところで、本出願の発明者は、これまで鋭意研究を重ねた結果、上述した従来の空気入りタイヤに設けられた各気室の内圧を車両の走行中に動的に変化させることによって、車両の運動性能（例えば、車両の進行方向や最小回転半径）を制御できるとの知見を得た。
【０００６】
そこで、本発明は、このような状況に鑑みてなされたものであり、トレッド幅方向に沿って複数の気室を備える空気入りタイヤを用いて、車両の運動性能を制御することができる空気入りタイヤ内圧制御装置、空気入りタイヤ制御システム、車両及び空気入りタイヤ内圧制御方法を提供することを目的とする。
【課題を解決するための手段】
【０００７】
上述した課題を解決するため、本発明は、次のような特徴を有している。まず、本発明の第１の特徴は、車両（自動四輪車１０）に装着された空気入りタイヤ（空気入りタイヤ２０ＦＬ，２０ＦＲ，２０ＲＬ，２０ＲＲ）の内圧を制御する空気入りタイヤ内圧制御装置（空気入りタイヤ内圧制御装置１００）であって、前記空気入りタイヤは、トレッド幅方向に沿って複数の気室（主気室Ｃ１、内側副気室Ｃ２ｉｎ及び外側副気室Ｃ２ｏｕｔ）を有し、前記車両の走行状態を指示する指示手段と、前記指示手段による指示に基づいて、前記複数の気室の内圧を異ならせる内圧制御部（コントローラ１１０）とを備えることを要旨とする。
【０００８】
このような空気入りタイヤ内圧制御装置によれば、車両が左方向または右方向に進行しようとしていることに基づいて、トレッド幅方向に沿って設けられている複数の気室の内圧が異なるように制御される。
【０００９】
複数の気室の内圧が異なった状態で空気入りタイヤが転動すると、低圧の気室側から高圧の気室側に沿った横力（擬似的キャンバースラスト）が発生するため、車両を右方向または左方向に進行するように制御することができる。
【００１０】
本発明の第２の特徴は、本発明の第１の特徴に係り、前記指示手段は、前記車両が左方向または右方向に進行しようとしていることを指示することを要旨とする。
【００１１】
本発明の第３の特徴は、本発明の第２の特徴に係り、前記指示手段は、前記車両のドライバー（ドライバーＰ）を含む乗車員に前記左方向または前記右方向の何れかを選択させる選択操作部（操作パネル１３０）を有し、前記内圧制御部は、前記選択操作部に対して前記乗車員が実行した操作に基づいて、前記複数の気室の内圧を異ならせることを要旨とする。
【００１２】
本発明の第４の特徴は、本発明の第２の特徴に係り、前記指示手段は、前記車両が所定の走行レーン（走行レーンＬ３）内を走行しているか否かを判定する走行レーン維持判定部（センサー部１２０）を有し、前記内圧制御部は、前記走行レーン維持判定部によって判定された前記所定の走行レーン内を前記車両が走行しているか否かの判定結果に基づいて、前記複数の気室の内圧を異ならせることを要旨とする。
【００１３】
本発明の第５の特徴は、本発明の第４の特徴に係り、前記走行レーン維持判定部は、前記車両が前記所定の走行レーン内から外れた場合または外れようとしている場合、前記車両が前記所定の走行レーンから前記左方向または前記右方向の何れに逸脱するかを示す逸脱方向を判定し、前記内圧制御部は、前記空気入りタイヤにおいて、前記逸脱方向と逆方向側に位置する前記気室の内圧を、前記逸脱方向側に位置する前記気室の内圧よりも高くすることを要旨とする。
【００１４】
本発明の第６の特徴は、本発明の第２の特徴に係り、前記指示手段は、前記車両の操舵に係る状態を検出する操舵状態検出部（センサー部１２０）を有し、前記内圧制御部は、前記操舵状態検出部によって検出された前記操舵に係る状態に基づいて、前記複数の気室の内圧を異ならせることを要旨とする。
【００１５】
本発明の第７の特徴は、本発明の第６の特徴に係り、前記操舵状態検出部は、前記車両の操舵方向を検出し、前記内圧制御部は、前記車両の前側に装着されている前側空気入りタイヤ（空気入りタイヤ２０ＦＬ，２０ＦＲ）において、前記操舵方向側に位置する前記気室の内圧を、前記操舵方向と逆方向側に位置する前記気室の内圧よりも高くすることを要旨とする。
【００１６】
本発明の第８の特徴は、本発明の第６の特徴に係り、前記操舵状態検出部は、前記車両の操舵方向を検出し、前記内圧制御部は、前記車両の後側に装着されている後側空気入りタイヤ（空気入りタイヤ２０ＲＬ，２０ＲＲ）において、前記操舵方向と逆方向側に位置する前記気室の内圧を、前記操舵方向側に位置する前記気室の内圧よりも高くすることを要旨とする。
【００１７】
本発明の第９の特徴は、本発明の第６の特徴に係り、前記操舵状態検出部は、前記車両の操舵方向を検出し、前記内圧制御部は、前記車両の後側に装着されている後側空気入りタイヤ（空気入りタイヤ２０ＲＬ，２０ＲＲ）において、前記操舵方向側に位置する前記気室の内圧を、前記操舵方向と逆方向側に位置する前記気室の内圧よりも高くすることを要旨とする。
【００１８】
本発明の第１０の特徴は、本発明の第６の特徴に係り、前記操舵状態検出部は、前記車両がオーバーステア状態であることを検出し、前記内圧制御部は、前記車両の前側に装着されている前側空気入りタイヤにおいて、前記操舵方向と逆方向側に位置する前記気室の内圧を、前記操舵方向側に位置する前記気室の内圧よりも高くすることを要旨とする。
【００１９】
本発明の第１１の特徴は、本発明の第６の特徴に係り、前記操舵状態検出部は、前記車両がオーバーステア状態であることを検出し、前記内圧制御部は、前記車両の後側に装着されている後側空気入りタイヤにおいて、前記操舵方向側に位置する前記気室の内圧を、前記操舵方向と逆方向側に位置する前記気室の内圧よりも高くすることを要旨とする。
【００２０】
本発明の第１２の特徴は、本発明の第６の特徴に係り、前記操舵状態検出部は、前記車両がアンダーステア状態であることを検出し、前記内圧制御部は、前記車両の前側に装着されている前側空気入りタイヤにおいて、前記操舵方向側に位置する前記気室の内圧を、前記操舵方向と逆方向側に位置する前記気室の内圧よりも高くすることを要旨とする。
【００２１】
本発明の第１３の特徴は、本発明の第６の特徴に係り、前記操舵状態検出部は、前記車両がアンダーステア状態であることを検出し、前記内圧制御部は、前記車両の後側に装着されている後側空気入りタイヤにおいて、前記操舵方向と逆方向側に位置する前記気室の内圧を、前記操舵方向側に位置する前記気室の内圧よりも高くすることを要旨とする。
【００２２】
本発明の第１４の特徴は、請求項１記載の空気入りタイヤと、請求項１乃至１３記載の何れかの空気入りタイヤ内圧制御装置とを含む空気入りタイヤ制御システムであることを要旨とする。
【００２３】
本発明の第１５の特徴は、本発明の第１４の特徴に係り、前記空気入りタイヤは、タイヤ赤道線（タイヤ赤道線ＣＬ）上の位置を含む主気室（主気室Ｃ１）と、前記車両への装着時において、前記主気室よりも前記車両の車幅方向外側に位置する外側副気室（外側副気室Ｃ２ｏｕｔ）と、前記車両への装着時において、前記主気室よりも前記車両の車幅方向内側に位置する内側副気室（内側副気室Ｃ２ｉｎ）とを備えることを要旨とする。
【００２４】
本発明の第１６の特徴は、本発明の第１５の特徴に係り、少なくとも前記外側副気室または前記内側副気室の体積は、前記主気室の体積よりも小さいことを要旨とする。
【００２５】
本発明の第１７の特徴は、本発明の第１５の特徴に係り、前記内圧制御部は、少なくとも前記外側副気室と、前記内側副気室の内圧とを異ならせることを要旨とする。
【００２６】
本発明の第１８の特徴は、本発明の第１乃至第１３の特徴の何れかの空気入りタイヤ内圧制御装置（空気入りタイヤ内圧制御装置１００）を備える車両（自動四輪車１０）であることを要旨とする。
【００２７】
本発明の第１９の特徴は、本発明の第１４乃至第１７の特徴の何れかの空気入りタイヤ制御システム（空気入りタイヤ２０ＦＬ，２０ＦＲ，２０ＲＬ，２０ＲＲ及び空気入りタイヤ内圧制御装置１００）を備える車両（自動四輪車１０）であることを要旨とする。
【００２８】
本発明の第２０の特徴は、車両に装着された空気入りタイヤの内圧を制御する空気入りタイヤ内圧制御方法であって、前記空気入りタイヤは、トレッド幅方向に沿って複数の気室を有し、前記車両が左方向または右方向に進行しようとしていること指示するステップと、前記指示するステップにおける指示に基づいて、前記複数の気室の内圧を異ならせるステップとを備えることを要旨とする。
【発明の効果】
【００２９】
本発明の特徴によれば、トレッド幅方向に沿って複数の気室を備える空気入りタイヤを用いて、車両の運動性能を制御することができる空気入りタイヤ内圧制御装置、空気入りタイヤ制御システム、車両及び空気入りタイヤ内圧制御方法を提供することを提供することができる。
【発明を実施するための最良の形態】
【００３０】
次に、本発明の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００３１】
したがって、具体的な寸法などは以下の説明を参酌して判断すべきものである。また、図面相互間においても互いの寸法の関係や比率が異なる部分が含まれていることは勿論である。
【００３２】
（車両の全体概略構成）
図１は、本実施形態において車両を構成する自動四輪車１０の全体概略図である。自動四輪車１０は、エンジンまたはモータ（不図示）を動力源として走行する。
【００３３】
自動四輪車１０は、４つの車輪、具体的には、リムホイール４０に組み付けられる空気入りタイヤ２０ＦＬ，２０ＦＲ，２０ＲＬ，２０ＲＲを備える。なお、図１では、自動四輪車１０の右側に装着される空気入りタイヤ２０ＦＲ及び空気入りタイヤ２０ＲＲは図示されていない（図３参照）。
【００３４】
自動四輪車１０は、ステアリングホイール３０を備え、ドライバーＰがステアリングホイール３０を回動すると、空気入りタイヤ２０ＦＬ及び空気入りタイヤ２０ＦＲが、進行方向右側または左側に向けられる。
【００３５】
また、自動四輪車１０は、自動四輪車１０に装着された空気入りタイヤ２０ＦＬ，２０ＦＲ，２０ＲＬ，２０ＲＲ（以下、“空気入りタイヤ”と適宜省略する）の内圧を制御する空気入りタイヤ内圧制御装置１００（図１において不図示、図３参照）を備える。
【００３６】
空気入りタイヤ内圧制御装置１００は、図１に示すコントローラ１１０、センサー部１２０、操作パネル１３０、コンプレッサー１４０、エアタンク１５０、及びロータリージョイント１５１，ＲＬなどによって構成される。なお、空気入りタイヤ内圧制御装置１００の具体的な構成については後述する。
【００３７】
コントローラ１１０は、センサー部１２０や操作パネル１３０などから出力された信号（指示）に基づいて、空気入りタイヤの内圧を制御する。
【００３８】
センサー部１２０は、ステアリングホイール３０の回転角である操舵角を検出するセンサーや、自動四輪車１０が所定の走行レーン内を走行しているか否かを検出するセンサーなどを有する。
【００３９】
操作パネル１３０は、ダッシュボード（不図示）上に配設される。操作パネル１３０は、自動四輪車１０を左方向または右方向の何れかに、空気入りタイヤの内圧を制御することによって進行させることを、ドライバーＰ（または自動四輪車１０の乗車員）に選択させることができる。
【００４０】
コンプレッサー１４０は、エアタンク１５０に蓄えられている気体を空気入りタイヤに圧送する。具体的には、コンプレッサー１４０によって圧送された気体は、リムホイール４０の車幅方向内側に配設されるエアホース１４５及びロータリージョイント１５１を介して各空気入りタイヤに供給される。
【００４１】
（空気入りタイヤの構成）
図２は、自動四輪車１０の左前位置に装着される空気入りタイヤ２０ＦＬのトレッド幅方向断面図である。なお、空気入りタイヤ２０ＦＲ，２０ＲＬ，２０ＲＲも空気入りタイヤ２０ＦＬと同様の構成を有する。
【００４２】
図２に示すように、空気入りタイヤ２０ＦＬは、従来の空気入りタイヤと同様に、トレッド２１、サイドウォール２２Ａ，２２Ｂ及びビード２３を有する。ビード２３は、リムホイール４０のビードシート４１によって係止される。
【００４３】
また、空気入りタイヤ２０ＦＬは、空気入りタイヤ２０ＦＬの骨格を形成するカーカス２４、及びカーカス２４を補強するベルト層２５を有する。
【００４４】
空気入りタイヤ２０ＦＬは、以下の点において従来の空気入りタイヤと大きく異なっている。すなわち、空気入りタイヤ２０ＦＬは、トレッド２１の幅方向（以下、“トレッド幅方向”と適宜省略する）に沿って複数の気室を有する。
【００４５】
具体的には、サイドウォール２２Ａよりも内側の空間において、リムホイール４０とトレッド２１の内側面との間に隔壁部３１Ａ及び隔壁部３１Ｂを設けることによって、主気室Ｃ１、外側副気室Ｃ２ｏｕｔ及び内側副気室Ｃ２ｉｎが形成される。
【００４６】
隔壁部３１Ａ及び隔壁部３１Ｂは、カーカス２４と同様の材料によって形成される内側カーカス３３を有する。また、隔壁部３１Ａ及び隔壁部３１Ｂの下端には、内側ビードシート４２によって係止される内側ビード３２が形成される。
【００４７】
主気室Ｃ１は、トレッド幅方向の断面においてタイヤ赤道線ＣＬを含む位置に形成される。
【００４８】
外側副気室Ｃ２ｏｕｔは、自動四輪車１０への装着時において、主気室Ｃ１よりも車幅方向外側に位置する。内側副気室Ｃ２ｉｎは、自動四輪車１０への装着時において、主気室Ｃ１よりも車幅方向内側に位置する。また、外側副気室Ｃ２ｏｕｔ及び内側副気室Ｃ２ｉｎの体積は、主気室Ｃ１の体積よりも小さい。
【００４９】
（擬似的キャンバースラストの発生）
ここで、空気入りタイヤ２０ＦＬに設けられた主気室Ｃ１、外側副気室Ｃ２ｏｕｔ及び内側副気室Ｃ２ｉｎの内圧を異ならせることによって、空気入りタイヤ２０ＦＬの転動よる横力が発生するメカニズムについて簡単に説明する。
【００５０】
空気入りタイヤ２０ＦＬでは、主気室Ｃ１が主にベルト層２５に掛かるベルト張力を分担する。外側副気室Ｃ２ｏｕｔ及び内側副気室Ｃ２ｉｎは、主にサイドウォール２２Ａ部分のカーカス２４に掛かるカーカス張力を分担する。
【００５１】
本実施形態では、外側副気室Ｃ２ｏｕｔと内側副気室Ｃ２ｉｎとの内圧を異ならせることによって、空気入りタイヤ２０ＦＬの転動よる横力を発生させる。具体的には、低圧側の気室から高圧側の気室の方向に沿って横力が発生する。
【００５２】
外側副気室Ｃ２ｏｕｔと内側副気室Ｃ２ｉｎとの内圧を異ならせると、車幅方向外側に位置するサイドウォール２２Ａ、隔壁部３１Ａと、車幅方向内側に位置するサイドウォール２２Ｂ、隔壁部３１Ｂとの張力剛性が、タイヤ赤道線ＣＬを中心として非対称となる。
【００５３】
このため、空気入りタイヤ２０ＦＬの接地圧分布もタイヤ赤道線ＣＬを中心として非対称となり、このような横力が発生すると考えられる。
【００５４】
つまり、従来の空気入りタイヤでもプライステアフォースやコニシティフォースといった横力成分を発生し得るが、空気入りタイヤ２０ＦＬでは、外側副気室Ｃ２ｏｕｔと内側副気室Ｃ２ｉｎとの内圧を異ならせることによって、より強い横力を発生させることができる。以下、本実施形態では、このような横力を“擬似的キャンバースラスト”として適宜記載する。
【００５５】
（空気入りタイヤ制御システムの機能ブロック構成）
図３は、本実施形態に係る空気入りタイヤ制御システムの機能ブロック構成図である。本実施形態では、空気入りタイヤ２０ＦＬ，２０ＦＲ，２０ＲＬ，２０ＲＲと、空気入りタイヤ内圧制御装置１００とによって、空気入りタイヤ制御システムが構成される。
【００５６】
空気入りタイヤ２０ＦＬは、自動四輪車１０の左前位置に装着される。空気入りタイヤ２０ＦＲは、自動四輪車１０の右前位置に装着される。
【００５７】
また、空気入りタイヤ２０ＲＬは、自動四輪車１０の左後位置に装着される。空気入りタイヤ２０ＲＲは、自動四輪車１０の右後位置に装着される。
【００５８】
空気入りタイヤ内圧制御装置１００は、コントローラ１１０、センサー部１２０、操作パネル１３０、コンプレッサー１４０、エアホース１４５、エアタンク１５０、ロータリージョイント１５１及び電気−空気圧変換部１６０を備える。
【００５９】
コントローラ１１０は、センサー部１２０、操作パネル１３０（指示手段）及び電気−空気圧変換部１６０から出力された信号に基づいて、電気−空気圧変換部１６０を制御する。
【００６０】
具体的には、コントローラ１１０は、センサー部１２０や操作パネル１３０による信号（指示）に基づいて、各空気入りタイヤに設けられた主気室Ｃ１、外側副気室Ｃ２ｏｕｔまたは内側副気室Ｃ２ｉｎの内圧を異ならせる。なお、本実施形態では、コントローラ１１０は、外側副気室Ｃ２ｏｕｔと内側副気室Ｃ２ｉｎとの内圧を異ならせる。本実施形態において、コントローラ１１０は、内圧制御部を構成する。
【００６１】
より具体的には、コントローラ１１０は、操作パネル１３０に対してドライバーＰ（乗車員）が実行した操作に基づいて、外側副気室Ｃ２ｏｕｔと内側副気室Ｃ２ｉｎとの内圧を異ならせることができる。
【００６２】
また、コントローラ１１０は、センサー部１２０によって判定された判定結果に基づいて、外側副気室Ｃ２ｏｕｔと内側副気室Ｃ２ｉｎとの内圧を異ならせることができる。具体的には、コントローラ１１０は、自動四輪車１０が所定の走行レーン（具体的には、図６（ａ），（ｂ）に示す走行レーンＬ３）内を自動四輪車１０が走行しているか否かの判定結果に基づいて、内圧を異ならせる。
【００６３】
さらに、コントローラ１１０は、センサー部１２０によって検出された操舵に係る状態に基づいて、外側副気室Ｃ２ｏｕｔと内側副気室Ｃ２ｉｎとの内圧を異ならせることができる。具体的には、コントローラ１１０は、ステアリングホイール３０の回転角である操舵角の値やヨーレートに基づいて内圧を異ならせることができる。
【００６４】
コントローラ１１０は、特定の気室の内圧を変化させる場合、電気−空気圧変換部１６０に設けられたバルブ（不図示）を、所望の内圧になるまで開放する。
【００６５】
センサー部１２０は、自動四輪車１０が左方向または右方向に進行しようとしていることを検出する各種のセンサーによって構成される。本実施形態において、センサー部１２０は、自動四輪車１０が左方向または右方向に進行しようとしていることをコントローラ１１０に指示する指示手段を構成する。
【００６６】
具体的には、センサー部１２０は、自動四輪車１０が所定の走行レーン（走行レーンＬ３）内から外れた場合または外れようとしている場合、自動四輪車１０が当該走行レーンから左方向または右方向の何れに逸脱するかを示す逸脱方向を判定することができる。本実施形態において、センサー部１２０は、走行レーン維持判定部を構成する。
【００６７】
なお、自動四輪車１０が所定の走行レーン（走行レーンＬ３）内から外れた場合または外れようとしている場合の検出手段については、公知の技術（例えば、ＣＣＤカメラを用いる技術）に基づいて構成することができる。
【００６８】
また、センサー部１２０は、自動四輪車１０の操舵に係る状態を検出することができる。本実施形態において、センサー部１２０は、操舵状態検出部を構成する。
【００６９】
具体的には、センサー部１２０は、ステアリングホイール３０の回転角である操舵角を検出するセンサーを有する。また、センサー部１２０は、ヨーレートセンサーを有し、操舵角とヨーレートセンサーからの出力信号などに基づいて、自動四輪車１０がオーバーステア状態またはアンダーステア状態にあるかを検出することができる。
【００７０】
操作パネル１３０は、コントローラ１１０に対して、自動四輪車１０が左方向または右方向に進行しようとしていること指示する。本実施形態において、操作パネル１３０は、指示手段を構成する。
【００７１】
具体的には、操作パネル１３０は、左方向または右方向の何れかに進行させることを、ドライバーＰを含む乗車員に選択させることができる。本実施形態において、操作パネル１３０は、選択操作部を構成する。
【００７２】
より具体的には、操作パネル１３０は、「左方向」及び「右方向」ボタンを有する。また、操作パネル１３０は、空気入りタイヤごとに、各気室の内圧の値を直接制御するためのボタンなどを有する。なお、操作パネル１３０は、例えば、液晶表示パネルで構成することができ、ドライバーＰは、画面に表示されたボタンの画像に接触することによって、所望の制御内容を選択する。
【００７３】
コンプレッサー１４０は、エアタンク１５０に気体（圧縮空気）注入する。エアタンク１５０に蓄えられた気体は、エアホース１４５及びロータリージョイント１５１を介して各空気入りタイヤに供給される。
【００７４】
エアタンク１５０は、各空気入りタイヤに供給される気体を蓄える。エアタンク１５０は、電気−空気圧変換部１６０、エアホース１４５及びロータリージョイント１５１を介して空気入りタイヤの気室と連結される。
【００７５】
電気−空気圧変換部１６０は、空気入りタイヤの各気室に供給される気体の圧力を調整する。また、電気−空気圧変換部１６０は、空気入りタイヤの各気室に供給される気体の圧力を示す情報をコントローラ１１０に出力する。
【００７６】
（空気入りタイヤ制御システムの動作）
次に、図４〜図９を参照して、上述した空気入りタイヤ制御システム（空気入りタイヤ２０ＦＬ，２０ＦＲ，２０ＲＬ，２０ＲＲ、及び空気入りタイヤ内圧制御装置１００）の動作について説明する。
【００７７】
（１）概略動作
図４は、空気入りタイヤ制御システム、具体的には、空気入りタイヤ内圧制御装置１００の概略動作フローである。
【００７８】
図４に示すように、ステップＳ１０において、空気入りタイヤ内圧制御装置１００は、センサー部１２０による自動四輪車１０の状態（例えば、所定の走行レーン内を走行しているか否か）の検出結果を取得する。或いは、ステップＳ１０において、空気入りタイヤ内圧制御装置１００は、操作パネル１３０に対するドライバーＰの操作内容（例えば、右方向または左方向への進行を要求）を取得する。
【００７９】
ステップＳ２０において、空気入りタイヤ内圧制御装置１００は、取得した検出結果、または操作内容に基づいて、空気入りタイヤの各気室に対する内圧の制御量を演算する。
【００８０】
ステップＳ３０において、空気入りタイヤ内圧制御装置１００は、演算した制御量に基づいて、電気−空気圧変換部１６０を制御し、各気室の内圧を変更する。
【００８１】
（２）ドライバーの操作に基づく制御
図５は、ドライバーＰの操作に基づく制御の一例を説明する説明図である。図５に示すように、セクションＳ１において、自動四輪車１０は、走行レーンＬ１を直進しているものとする。
【００８２】
ここで、ドライバーＰは、操作パネル１３０を操作し、「右方向」への進行を要求する。「右方向」への進行が要求されると、空気入りタイヤ内圧制御装置１００は、セクションＳ２に示すように、各空気入りタイヤの内圧を制御する。
【００８３】
具体的には、自動四輪車１０の進行方向右側に位置する気室の内圧は、逆側に位置する気室の内圧よりも高くされる。
【００８４】
より具体的には、空気入りタイヤ２０ＦＲ及び空気入りタイヤ２０ＲＲでは、外側副気室Ｃ２ｏｕｔの内圧（図中の“４”、以下同）が、内側副気室Ｃ２ｉｎの内圧（“１”）よりも高くされる。一方、空気入りタイヤ２０ＦＬ及び空気入りタイヤ２０ＲＬでは、内側副気室Ｃ２ｉｎの内圧（“４”）が、外側副気室Ｃ２ｏｕｔの内圧（“１”）よりも高くされる。なお、図中の“１”、“２”及び“４”は、数字が大きいほど内圧が高いことを意味する。
【００８５】
このように内圧が制御されると、内圧が“１”の気室から、“４”の気室の方向に沿って横力Ｆ（擬似的キャンバースラスト）が発生する。つまり、自動四輪車１０の進行方向右側に向けて横力Ｆが発生する。
【００８６】
この結果、自動四輪車１０は、ドライバーＰがステアリングホイール３０を直進状態に保持しているにもかかわらず、走行レーンＬ１から走行レーンＬ２に移動する。
【００８７】
次いで、ドライバーＰは、操作パネル１３０を操作し、「左方向」への進行を要求する。「左方向」への進行が要求されると、空気入りタイヤ内圧制御装置１００は、セクションＳ３に示すように、各空気入りタイヤの内圧を制御する。
【００８８】
具体的には、自動四輪車１０の進行方向左側に位置する気室の内圧は、逆側に位置する気室の内圧よりも高くされる。この結果、セクションＳ４に示すように、自動四輪車１０は、走行レーンＬ２から走行レーンＬ１に復帰する。
【００８９】
自動四輪車１０が走行レーンＬ１に復帰後、ドライバーＰが、操作パネル１３０を操作し、「左方向」への進行をキャンセルすると、セクションＳ４に示すように、各気室は、ほぼ同一の内圧（“２”）に制御される。
【００９０】
（３）走行レーン逸脱防止
図６（ａ）及び（ｂ）は、自動四輪車１０が走行レーンを逸脱することを防止する制御を説明する説明図である。
【００９１】
図６（ａ）に示すように、自動四輪車１０は、走行レーンＬ３を走行しているが、走行レーンＬ３に沿った方向Ｄ１ではなく、やや左方向である方向Ｄ１Ｌに進行しているものとする。なお、自動四輪車１０が方向Ｄ１ではなく方向Ｄ１Ｌに進行する理由は、ドライバーＰのわき見運転や、居眠り運転である。
【００９２】
空気入りタイヤ内圧制御装置１００（センサー部１２０）は、自動四輪車１０が走行レーンＬ３（所定の走行レーン）内から外れた場合または外れようとしている場合、自動四輪車１０が走行レーンＬ３から左方向または右方向の何れに逸脱するかを示す逸脱方向を判定する。なお、当該判定は、上述したように公知の技術（例えば、ＣＣＤカメラを用いる技術）に基づいて実行することができる。
【００９３】
次いで、空気入りタイヤ内圧制御装置１００（コントローラ１１０）は、各空気入りタイヤにおいて、逸脱方向と逆方向側に位置する気室の内圧を、逸脱方向側に位置する気室の内圧よりも高くする。
【００９４】
具体的には、図６（ａ）示すように、空気入りタイヤ２０ＦＲ及び空気入りタイヤ２０ＲＲでは、外側副気室Ｃ２ｏｕｔの内圧（“４”）が、内側副気室Ｃ２ｉｎの内圧（“１”）よりも高くされる。一方、空気入りタイヤ２０ＦＬ及び空気入りタイヤ２０ＲＬでは、内側副気室Ｃ２ｉｎの内圧（“４”）が、外側副気室Ｃ２ｏｕｔの内圧（“１”）よりも高くされる。
【００９５】
このように内圧が制御されると、内圧が“１”の気室から、“４”の気室の方向に沿って横力Ｆ（擬似的キャンバースラスト）が発生する。つまり、自動四輪車１０の進行方向右側に向けて横力Ｆが発生する。
【００９６】
この結果、自動四輪車１０は、ドライバーＰがステアリングホイール３０を操作しなくとも、走行レーンＬ３内に留まることができる。
【００９７】
また、図６（ｂ）は、自動四輪車１０が、やや右方向である方向Ｄ１Ｒに進行している場合における内圧の制御状態を示す。図６（ｂ）に示すように、図６（ａ）に示した方向Ｄ１Ｌに進行している場合と逆側の気室、具体的には、自動四輪車１０の進行方向左側に位置する気室の内圧が、進行方向右側に位置する気室の内圧よりも高くされる。
【００９８】
このように内圧が制御されると、自動四輪車１０の進行方向左側に向けて横力Ｆが発生する。
【００９９】
（４）オーバーステア状態及びアンダーステア状態の抑制
図７及び図８は、自動四輪車１０のオーバーステア状態及びアンダーステア状態を抑制する制御を説明する説明図である。
【０１００】
（４．１）オーバーステア状態の抑制
図７は、自動四輪車１０のオーバーステア状態を抑制する場合に実行される制御内容を示す。自動四輪車１０は、左回りにコーナリングしているものとする。
【０１０１】
オーバーステア状態が発生すると、自動四輪車１０は、ニュートラルステア状態（図中のＮＳ）よりも内側に巻き込むような軌跡（図中のＯＳ）を描こうとする。
【０１０２】
空気入りタイヤ内圧制御装置１００（センサー部１２０）は、自動四輪車１０がオーバーステア状態であることを検出する。なお、オーバーステア状態やアンダーステア状態は、上述したように、操舵角とヨーレートセンサーからの出力信号などに基づいて検出することができる。
【０１０３】
自動四輪車１０がオーバーステア状態であることが検出された場合、空気入りタイヤ内圧制御装置１００（コントローラ１１０）は、自動四輪車１０の前側に装着されている空気入りタイヤ２０ＦＬ，２０ＦＲ（前側空気入りタイヤ）において、操舵方向と逆方向側に位置する気室の内圧を、操舵方向側に位置する前記気室の内圧よりも高くする。
【０１０４】
具体的には、空気入りタイヤ２０ＦＬでは、内側副気室Ｃ２ｉｎの内圧（“４”）が、外側副気室Ｃ２ｏｕｔの内圧（“１”）よりも高くされる。また、空気入りタイヤ２０ＦＲでは、外側副気室Ｃ２ｏｕｔの内圧（“４”）が、内側副気室Ｃ２ｉｎの内圧（“１”）よりも高くされる。
【０１０５】
このように内圧が制御されると自動四輪車１０の操舵方向と逆方向側に向けて横力Ｆ（擬似的キャンバースラスト）が発生する。
【０１０６】
また、空気入りタイヤ内圧制御装置１００（コントローラ１１０）は、自動四輪車１０の後側に装着されている空気入りタイヤ２０ＲＬ，２０ＲＲ（後側空気入りタイヤ）において、操舵方向側に位置する気室の内圧を、操舵方向と逆方向側に位置する気室の内圧よりも高くする。
【０１０７】
具体的には、空気入りタイヤ２０ＲＬでは、外側副気室Ｃ２ｏｕｔの内圧（“４”）が、内側副気室Ｃ２ｉｎの内圧（“１”）よりも高くされる。また、空気入りタイヤ２０ＲＲでは、内側副気室Ｃ２ｉｎの内圧（“４”）が、外側副気室Ｃ２ｏｕｔの内圧（“１”）よりも高くされる。
【０１０８】
このように内圧が制御されると自動四輪車１０の操舵方向側に向けて横力Ｆ（擬似的キャンバースラスト）が発生する。
【０１０９】
つまり、空気入りタイヤ２０ＦＬ，２０ＦＲでは操舵方向と逆方向側に向けて横力Ｆが発生し、空気入りタイヤ２０ＲＬ，２０ＲＲでは操舵方向側に向けて横力Ｆが発生するため、自動四輪車１０のオーバーステア状態が抑制される。この結果、自動四輪車１０は、ニュートラルステア（ＮＳ）に近い軌跡Ｔ１を描く。
【０１１０】
（４．２）アンダーステア状態の抑制
図８は、自動四輪車１０のアンダーステア状態を抑制する場合に実行される制御内容を示す。アンダーステア状態における制御は、上述したオーバーステア状態における制御と逆の制御が実行されるため、以下、簡単に説明する。
【０１１１】
アンダーステア状態が発生すると、自動四輪車１０は、ニュートラルステア状態（図中のＮＳ）よりも外側に膨らむような軌跡（図中のＵＳ）を描こうとする。
【０１１２】
上述したオーバーステア状態と同様に、空気入りタイヤ内圧制御装置１００（センサー部１２０）は、自動四輪車１０がアンダーステア状態であることを検出する。
【０１１３】
空気入りタイヤ内圧制御装置１００（コントローラ１１０）は、空気入りタイヤ２０ＦＬ，２０ＦＲ（前側空気入りタイヤ）において、操舵方向側に位置する気室の内圧を、操舵方向と逆方向側に位置する気室の内圧よりも高くする。
【０１１４】
また、空気入りタイヤ内圧制御装置１００（コントローラ１１０）は、空気入りタイヤ２０ＲＬ，２０ＲＲにおいて、操舵方向と逆方向側に位置する気室の内圧を、操舵方向側に位置する気室の内圧よりも高くする。
【０１１５】
このように内圧が制御されると、空気入りタイヤ２０ＦＬ，２０ＦＲでは操舵方向側に向けて横力Ｆ（擬似的キャンバースラスト）が発生し、空気入りタイヤ２０ＲＬ，２０ＲＲでは操舵方向と逆方向側に向けて横力Ｆが発生するため、自動四輪車１０のアンダーステア状態が抑制される。この結果、自動四輪車１０は、ニュートラルステア（ＮＳ）に近い軌跡Ｔ２を描く。
【０１１６】
（５）最小回転半径の縮小
図９（ａ）及び（ｂ）は、自動四輪車１０の最小回転半径を縮小する制御を説明する説明図である。
【０１１７】
図９（ａ）は、各気室の内圧を制御しない場合において、自動四輪車１０が描く最小回転半径の軌跡Ｔ３を示す。
【０１１８】
一方、図９（ｂ）は、各気室の内圧を適切に制御した場合において、自動四輪車１０が描く最小回転半径の軌跡Ｔ３Ａを示す。
【０１１９】
具体的には、空気入りタイヤ内圧制御装置１００（センサー部１２０）は、自動四輪車１０の操舵方向を検出する。
【０１２０】
次いで、空気入りタイヤ内圧制御装置１００（コントローラ１１０）は、自動四輪車１０空気入りタイヤ２０ＦＬ，２０ＦＲにおいて、操舵方向側に位置する前記気室の内圧を、操舵方向と逆方向側に位置する気室の内圧よりも高くする。
【０１２１】
また、空気入りタイヤ内圧制御装置１００（コントローラ１１０）は、空気入りタイヤ２０ＲＬ，２０ＲＲにおいて、操舵方向と逆方向側に位置する気室の内圧を、操舵方向側に位置する気室の内圧よりも高くする。
【０１２２】
つまり、上述したアンダーステア状態を抑制する制御（図８参照）と同様の制御を実行することによって、図９（ｂ）に示すような横力Ｆ（擬似的キャンバースラスト）が発生するため、自動四輪車１０の最小回転半径を縮小することができる。
【０１２３】
なお、自動四輪車１０の回転半径を状況に応じて大きくさせるため、空気入りタイヤ内圧制御装置１００（コントローラ１１０）は、空気入りタイヤ２０ＲＬ，２０ＲＲにおいて、操舵方向に位置する気室の内圧を、操舵方向と逆方向側に位置する気室の内圧よりも高くしてもよい。
【０１２４】
（比較評価）
表１は、上述した空気入りタイヤ制御システム（空気入りタイヤ２０ＦＬ，２０ＦＲ，２０ＲＬ，２０ＲＲ、及び空気入りタイヤ内圧制御装置１００）を用いた比較評価の結果を示す。
【０１２５】
具体的には、表１は、図７及び図８に示したように、自動四輪車１０が左回りにコーナリングする際に設定された各気室の内圧の値（単位：ｋＰａ）、及びテストドライバーのフィーリング評価の値を示す。
【表１】
2007223476.tif 000003
【０１２６】
なお、比較評価の条件などは、以下のとおりである。
【０１２７】
・  コーナー半径：  ５０ｍ
・  コーナー進入速度：  ６０ｋｍ／ｈ〜８０ｋｍ／ｈ
・  装着タイヤサイズ：  ２２５／５５Ｒ１７
また、各気室の基準内圧を２００ｋＰａとし、コーナーへの進入に伴う操舵開始直後に、各気室の内圧を表１に示した値に瞬時に変更した。
【０１２８】
表１に示すように、各気室の内圧を制御した場合（実施例１〜実施例４）、従来例及び比較例よりもフィーリング評価の値が向上している。なお、フィーリング評価の値は、従来例に係る空気入りタイヤのフィーリング評価の指数を“１００”として算出した。
【０１２９】
（作用・効果）
以上説明した空気入りタイヤ制御システム（空気入りタイヤ２０ＦＬ，２０ＦＲ，２０ＲＬ，２０ＲＲ、及び空気入りタイヤ内圧制御装置１００）によれば、自動四輪車１０が左方向または右方向に進行しようとしていることに基づいて、トレッド幅方向に沿って設けられている外側副気室Ｃ２ｏｕｔと内側副気室Ｃ２ｉｎとの内圧が異なるように制御される。
【０１３０】
外側副気室Ｃ２ｏｕｔと内側副気室Ｃ２ｉｎとの内圧が異なった状態で空気入りタイヤが転動すると、低圧の気室側から高圧の気室側に沿った横力Ｆ（擬似的キャンバースラスト）が発生するため、車両を右方向または左方向に進行するように制御することができる。
【０１３１】
具体的には、上述したように、ドライバーＰが操作パネル１３０を操作することによって、ドライバーＰの意思に応じて、ステアリングホイール３０を操作することなく、ステアリングホイール３０が直進状態となっている自動四輪車１０を斜め右方向や斜め左方向に進行させること（例えば、レーンチェンジ）ができる。
【０１３２】
また、自動四輪車１０が所定の走行レーンから逸脱することを防止したり、オーバーステア状態またはアンダーステア状態を抑制したりすることができる。さらに、自動四輪車１０の最小回転半径を縮小することもできる。
【０１３３】
さらに、空気入りタイヤには、主気室Ｃ１、外側副気室Ｃ２ｏｕｔ及び内側副気室Ｃ２ｉｎの３気室が設けられているため、主気室Ｃ１において空気入りタイヤに掛かる荷重を支持しつつ、擬似的キャンバースラストを効果的に発生させることができる。
【０１３４】
また、外側副気室Ｃ２ｏｕｔ及び内側副気室Ｃ２ｉｎの体積は、主気室Ｃ１の体積よりも小さいため、外側副気室Ｃ２ｏｕｔ及び内側副気室Ｃ２ｉｎの内圧を速やかに所望の値に変更することができる。つまり、自動四輪車１０を制御するために必要充分な規模の擬似的キャンバースラストをより迅速に発生させることができる。
【０１３５】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【０１３６】
例えば、上述した実施形態では、前側空気入りタイヤ及び後側空気入りタイヤの何れも制御の対象としていたが、何れか（前側または後側）の空気入りタイヤのみを制御の対象としてもよい。さらに、空気入りタイヤの制動力または駆動力を効果的に発揮させるため、自動四輪車１０の走行状態（例えば、制動時や加速時）に応じて、主気室Ｃ１、外側副気室Ｃ２ｏｕｔまたは内側副気室Ｃ２ｉｎの内圧を変化させてもよい。
【０１３７】
また、空気入りタイヤ内圧制御装置１００の構成は一例であり、当該装置の構成は、搭載される車両の形状や用途などによって適宜変更することができる。
【０１３８】
例えば、自動四輪車１０に搭載されるエンジンによって回転させられるターボチャージャーを用いて、空気入りタイヤ（気室）への気体を圧送するコンプレッサーを駆動してもよい。さらに、電気−空気圧変換部１６０に代えて、圧力スイッチを用いてもよい。
【０１３９】
また、迅速な内圧の制御が必要ない場合、エアタンク１５０は、必ずしも設けなくても構わない。さらに、内圧を下降させる場合、空気入りタイヤ（気室）から排出された気体は、大気中に排出してもよい。或いは、排出された気体をエアタンク１５０に戻し、空気入りタイヤ内圧制御装置１００内で循環させるようにしてもよい。また、空気入りタイヤ（気室）には、気体（例えば、空気や窒素ガス）に代えて、液体を圧送するようにしてもよい。
【０１４０】
さらに、空気入りタイヤ内圧制御装置１００は、小型化してリムホイール４０内に実装する形態としてもよい。
【０１４１】
また、上述した実施形態では、主気室Ｃ１、外側副気室Ｃ２ｏｕｔ及び内側副気室Ｃ２ｉｎの３気室が設けられた空気入りタイヤを用いたが、例えば、２気室や４気室が設けられた空気入りタイヤを用いても構わない。
【０１４２】
さらに、本実施形態において用いた空気入りタイヤに代えて、トレッド２１の内部に複数の気室を備える空気入りタイヤを用いてもよい。また、当該気室は、連鎖発泡ゴムなど、気泡が他の気泡と連鎖する連鎖気泡部材によって形成されてもよい。或いは、本実施形態において用いた空気入りタイヤに代えて、複数気室を備えるタイヤ用チューブを用いてもよい。
【０１４３】
また、空気入りタイヤに対する外乱（例えば、空気入りタイヤの接地状態の変化）の検出に基づいて、各気室の内圧を制御するようにしてもよい。
【０１４４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１４５】
【図１】本発明の実施形態に係る車両の全体概略図である。
【図２】本発明の実施形態に係る空気入りタイヤのトレッド幅方向断面図である。
【図３】本発明の実施形態に係る空気入りタイヤ制御システムの機能ブロック構成図である。
【図４】本発明の実施形態に係る空気入りタイヤ内圧制御装置の概略動作フローである。
【図５】本発明の実施形態に係る空気入りタイヤ制御システムによる制御の一例を説明する説明図である。
【図６】本発明の実施形態に係る空気入りタイヤ制御システムによる制御の一例を説明する説明図である。
【図７】本発明の実施形態に係る空気入りタイヤ制御システムによる制御の一例を説明する説明図である。
【図８】本発明の実施形態に係る空気入りタイヤ制御システムによる制御の一例を説明する説明図である。
【図９】本発明の実施形態に係る空気入りタイヤ制御システムによる制御の一例を説明する説明図である。
【符号の説明】
【０１４６】
１０…自動四輪車、２０ＦＬ，２０ＦＲ，２０ＲＬ，２０ＲＲ…空気入りタイヤ、２１…トレッド、２２Ａ，２２Ｂ…サイドウォール、２３…ビード、２４…カーカス、２５…ベルト層、３０…ステアリングホイール、３１Ａ，３１Ｂ…隔壁部、３２…内側ビード、３３…内側カーカス、４０…リムホイール、４１…ビードシート、４２…内側ビードシート、１００…空気入りタイヤ内圧制御装置、１１０…コントローラ、１２０…センサー部、１３０…操作パネル、１４０…コンプレッサー、１４５…エアホース、１５０…エアタンク、１５１…ロータリージョイント、１６０…電気−空気圧変換部、Ｃ１…主気室、Ｃ２ｉｎ…内側副気室、Ｃ２ｏｕｔ…外側副気室、ＣＬ…タイヤ赤道線、Ｄ１，Ｄ１Ｌ，Ｄ１Ｒ…方向、Ｆ…横力、Ｌ１〜Ｌ３…走行レーン、Ｐ…ドライバー、Ｔ１〜Ｔ３，Ｔ３Ａ…軌跡
【図１】
2007223476.tif 000004
【図２】
2007223476.tif 000005
【図３】
2007223476.tif 000006
【図４】
2007223476.tif 000007
【図５】
2007223476.tif 000008
【図６】
2007223476.tif 000009
【図７】
2007223476.tif 000010
【図８】
2007223476.tif 000011
【図９】
2007223476.tif 000012